(57)【要約】【課題】障害釘の代わりとなる樹脂体の興趣の向上が図られる遊技機の提供を目的とする。【解決手段】本発明の遊技機１０は、遊技領域Ｒ１を前面側に有する遊技盤１１と、遊技球を遊技領域Ｒ１に進入させる進入口１２Ｋと、遊技領域Ｒ１おける進入口１２Ｋの近傍に形成された釘無し領域Ｒ２と、を有する。釘無し領域Ｒ２には、障害釘１７の代わりに遊技球の動きをランダムに変化させる樹脂体として、第１樹脂突部４１と第２樹脂突部４２が設けられ、第１樹脂突部４１は縦長に形成され、第２樹脂突部４２は前方視略正方形状に形成されている。【選択図】図４
2019165977.tif 000002
【特許請求の範囲】
【請求項１】
遊技球が流下可能な遊技領域を前面側に形成する遊技盤と、
発射装置から発射された遊技球を前記遊技領域に進入させる進入口と、
前記遊技領域における前記進入口の近傍に形成され、遊技球と衝突することでその遊技球の動きをランダムに変化させる手段として障害釘ではなく樹脂体を有する釘無し領域と、を有する遊技機において、
前記樹脂体として、第１樹脂体と、前記第１樹脂体より前記進入口に近い側に配置される第２樹脂体と、を備え、
前記第１樹脂体が前記第２樹脂体よりも縦長に形成されている、遊技機。
【請求項２】
前記第１樹脂体の上部には、前記進入口側へ向かうにつれて下側へ向かうように湾曲する第１円弧面が設けられている、請求項１に記載の遊技機。
【請求項３】
前記第２樹脂体は、前記第１円弧面に対して下側に配置されている、請求項２に記載の遊技機。
【請求項４】
前記第１樹脂体には、前記第２樹脂体に対向配置されて前記第２樹脂体を中心にした円弧状をなす第２円弧面が形成されている、請求項１乃至３のうち何れか１の請求項に記載の遊技機。
【請求項５】
前記第１樹脂体は、前記第１円弧面に前記第２円弧面が繋がったＳ字状曲面部を有する、請求項３に従属する請求項４に記載の遊技機。
【請求項６】
前記進入口には、前記遊技領域からの遊技球の逆戻りを抑制する逆流規制部材が取り付けられていて、
前記第２樹脂体は、前記逆流規制部材に対向配置されている、請求項１乃至５のうち何れか１の請求項に記載の遊技機。
【発明の詳細な説明】
【技術分野】
【０００１】
本発明は、遊技盤の前面側に遊技球が流下可能な遊技領域を有する遊技機に関する。
【背景技術】
【０００２】
従来、特許文献１に示される遊技機のように、遊技領域の一部を、障害釘の代わりに樹脂体を備えた釘無し領域としたものが知られている。
【先行技術文献】
【特許文献】
【０００３】
【特許文献１】特開２００８−１６１４６７号（段落［００８０］、図９）
【発明の概要】
【発明が解決しようとする課題】
【０００４】
従来の遊技機では、樹脂体の形状や大きさが似通っていて、興趣に欠けるという問題があった。
【０００５】
本発明は、上記事情に鑑みてなされたもので、障害釘の代わりとなる樹脂体の興趣の向上が図られる遊技機の提供を目的とする。
【課題を解決するための手段】
【０００６】
上記課題を解決するためになされた請求項１の発明は、遊技球が流下可能な遊技領域を前面側に形成する遊技盤と、発射装置から発射された遊技球を前記遊技領域に進入させる進入口と、前記遊技領域における前記進入口の近傍に形成され、遊技球と衝突することでその遊技球の動きをランダムに変化させる手段として障害釘ではなく樹脂体を有する釘無し領域と、を有する遊技機において、前記樹脂体として、第１樹脂体と、前記第１樹脂体より前記進入口に近い側に配置される第２樹脂体と、を備え、前記第１樹脂体が前記第２樹脂体よりも縦長に形成されている、遊技機である。
【発明の効果】
【０００７】
上記発明によれば、障害釘の代わりとなる樹脂体の興趣の向上が図られる。
【図面の簡単な説明】
【０００８】
【図１】本発明の一実施形態に係る遊技機の正面図
【図２】遊技盤の正面図
【図３】前面枠を開放した遊技機の斜視図
【図４】釘無し領域周辺の正面図
【図５】進入口から進入する遊技球の動きを説明するための図
【図６】上側流路から戻ってきた遊技球の動きを説明するための図
【発明を実施するための形態】
【０００９】
図１に示されるように、本実施形態に係る遊技機１０は、図２に示される遊技盤１１を前面枠１０Ｚで覆ってなり、その前面枠１０Ｚに形成されたガラス窓１０Ｗを通して、遊技盤１１の前面に形成された略円形の遊技領域Ｒ１（図２参照）の全体が視認可能となっている。なお、以下の説明において、特記しない限り「右」及び「左」とは、遊技機１０を前方から見た場合の「右」及び「左」を指すものとする。
【００１０】
前面枠１０Ｚのうちガラス窓１０Ｗより下方には、上皿２６と下皿２７が上下２段にして設けられ、下皿２７の右側には、発射用ハンドル２８が備えられている。そして、発射用ハンドル２８が回動操作されると、上皿２６に収容された遊技球が発射装置６１（図３参照）によって１球ずつ遊技領域Ｒ１に向けて弾き出される。
【００１１】
図３に示されるように、遊技機１０は、遊技盤１１を保持した遊技機本体１０Ｈの前面に、前面枠１０Ｚを開閉可能に備えている。遊技機本体１０Ｈの前面の右下隅部には、発射機構ユニット６０が設けられていて、遊技盤１１の前面には、発射機構ユニット６０の発射装置６１から発射された遊技球を遊技領域Ｒ１の左上部へと案内する球誘導路６２が形成されている。発射機構ユニット６０の左側方には、遊技領域Ｒ１まで到達せずに球誘導路６２を逆戻りした遊技球や球誘導路６２まで到達しなかった遊技球を回収して下皿２７に排出する戻り球回収ダクト６８が設けられている。
【００１２】
図２に示されるように、遊技盤１１の前面からは、遊技領域Ｒ１を包囲するガイドレール１２が突出している。ガイドレール１２は、円弧状に湾曲した第１レール部１２Ａ及び第２レール部１２Ｂを備えている。第１レール部１２Ａは、遊技領域Ｒ１の周縁部のうち上側の略１／４円周分を除いた部分に沿わせて配置されている。第２レール部１２Ｂは、その一端寄り部分（第２レール部１２Ｂの上部）が遊技領域Ｒ１の周縁部における上側の略１／４円周分に沿って延在し、他端寄り部分（第２レール部１２Ｂの左側部）が第１レール部１２Ａの左側部に外側から向かい合うように配置されている。そして、第１レール部１２Ａの左側部と第２レール部１２Ｂとの間に、発射装置６１から発射された遊技球を遊技領域Ｒ１へと誘導する球誘導路６２が形成されている。
【００１３】
第１レール部１２Ａの左側の上端部と第２レール部１２Ｂの中間部との間には、遊技球１〜２個分の隙間が設けられ、これにより、ガイドレール１２の左上部に、球誘導路６２の出口、即ち、遊技領域Ｒ１内に遊技球を進入させるための進入口１２Ｋが形成されている。そして、第２レール部１２Ｂのうち進入口１２Ｋより上側に配される部分によって、進入口１２Ｋから遊技領域Ｒ１内に進入した遊技球を右斜め上方に案内可能な円弧状案内部１２Ｅが形成されている。
【００１４】
図４に示されるように、本実施形態の遊技機１０では、第１レール部１２Ａに、遊技領域Ｒ１に進入した遊技球が球誘導路６２へと逆戻りすることを規制する球戻り規制部材５０が取り付けられている。球戻り規制部材５０は、第１レール部１２Ａの左側の上端部に取り付けられる支持ベース５１と、支持ベース５１に回動可能に支持されて進入口１２Ｋを開閉する開閉部材５３と、を備える。開閉部材５３は、通常は、鉛直方向に沿って配置されて進入口１２Ｋを閉塞し、開閉部材５３が回動して横倒しに配置されると、進入口１２Ｋを開放する。
【００１５】
図２に示されるように、遊技盤１１のうち遊技領域Ｒ１の中央には、表示開口１１Ｈが貫通形成されていて、その表示開口１１Ｈに遊技盤１１の裏面側から表示装置１３が対向している。表示装置１３は、例えば、液晶モジュールで構成され、遊技に関する演出を行う表示画面１３Ｇを前面に有する。表示画面１３Ｇでは、遊技に関する種々の演出が行われる。
【００１６】
遊技盤１１の前面中央には、表示画面１３Ｇを囲むように表示装飾枠２３が取り付けられている。表示装飾枠２３は、遊技盤１１の前面側から表示開口１１Ｈに嵌め込まれると共に、遊技盤１１の前面より前側に突出している。これにより、遊技領域Ｒ１を流下する遊技球が、表示装飾枠２３を乗り越えて表示装飾枠２３の内側に進入することが規制されている。
【００１７】
表示開口１１Ｈの開口縁には、表示開口１１Ｈの上端寄り部分を段付き状に幅狭にする段差部１１Ｄが設けられ、段差部１１Ｄより下側の幅広な領域（「下側幅広領域」という。）にて表示画面１３Ｇを視認可能にする。段差部１１Ｄより上側の幅狭な部分（「上側幅狭領域」という。）には、装飾部材７０（具体的には、ロゴ役物）が収容される。段差部１１Ｄは、表示開口１１Ｈの開口縁の左側部に備えられ、下側幅広領域と上側幅狭領域の右端が揃えられている。
【００１８】
表示装飾枠２３は、表示開口１１Ｈの下側幅広領域を縁取る下側装飾部２３Ａと、上側幅狭領域を縁取る上側装飾部２３Ｂと、からなる。なお、装飾部材７０は、上側幅狭領域を横切るように配置されて、上側装飾部２３Ｂの両側部に固定されている。
【００１９】
表示装飾枠２３（詳細には、上側装飾部２３Ｂ）の上端部には、ガイドレール１２の上側部分（詳細には、第２レール１２Ｂ）に沿って延びた上側流路構成壁２５が設けられていて、この上側流路構成壁２５とガイドレール１２との間に、遊技球が１つずつ通過可能な上側流路２５Ｒが形成されている。
【００２０】
遊技領域Ｒ１のうち表示装飾枠２３より下側部分の横方向の中央部には、第１始動入賞口１４ＡＫが設けられている。第１始動入賞口１４ＡＫは、遊技球が１つずつ入球可能な大きさの開口を上部に有するポケット構造をなしている。
【００２１】
第１始動入賞口１４ＡＫの下方には、第１大入賞装置１５Ａが設けられている。第１大入賞装置１５Ａは、右側に開放した第１大入賞口１５ＡＫと、第２大入賞口１５ＡＫの右側に配置された第１可変部材１５ＡＴと、を備えている。第１可変部材１５ＡＴは、左下り傾斜し、遊技盤１１の前面から突出した第１突出位置と、該第１突出位置より突出が抑えられた第１退避位置と、の間をスライド可能に構成されている。そして、第１可変部材１５ＡＴが第１突出位置に配置されたときに、第１可変部材１５ＡＴを案内にして遊技球が第１大入賞口１５ＡＫに入球可能となり、第１可変部材１５ＡＴが第１退避位置に配置されたときに、遊技球が第１大入賞口１５ＡＫに入球困難となる。
【００２２】
遊技領域Ｒ１のうち表示装飾枠２３の右側には、始動ゲート１８が設けられている。始動ゲート１８は、遊技領域Ｒ１を流下する遊技球が潜って通過可能な門形状に形成されている。始動ゲート１８を遊技球が通過すると、普通図柄当否判定が行われる。
【００２３】
始動ゲート１８の下方には、第２始動入賞装置１４Ｂが設けられている。第２始動入賞装置１４Ｂは、左側に開放した第２始動入賞口１４ＢＫと、第２始動入賞口１４ＢＫの左側で右下がりに傾斜した始動可変部材１４ＢＴと、を備えている。始動可変部材１４ＢＴは、遊技盤１１の前面から突出した始動突出位置と該始動突出位置より突出が抑えられた始動退避位置との間をスライド可能に構成されていて、通常は、始動退避位置に配置され、上述した普通図柄当否判定の結果が当りになると、所定の期間だけ始動突出位置に配置される。そして、始動可変部材１４ＢＴが始動突出位置に配置されたときに、始動可変部材１４ＢＴを案内にして遊技球が第２始動入賞口１４ＢＫに入球可能となり、始動可変部材１４ＢＴが始動退避位置に配置されたときに、遊技球が始動入賞口１４ＢＫに入球困難となる。
【００２４】
第２始動入賞装置１４Ｂの下方には、第２大入賞装置１５Ｂが設けられている。第２大入賞装置１５Ｂは、上側に開放した第２大入賞口１５ＢＫと、第２大入賞口１５ＢＫを開閉する第２可変部材１５ＢＴと、を備えている。第２可変部材１５ＢＴは、遊技盤１１の前面から突出した第２突出位置と、該第２突出位置より突出が抑えられた第２退避位置と、の間をスライド可能に構成されている。そして、第２可変部材１５ＢＴが第２突出位置に配置されたときに、第２大入賞口１５ＢＫが閉塞されて遊技球が第２大入賞口１５ＢＫに入球困難となり、第２可変部材１５ＢＴが第２退避位置に配置されたときに、第２大入賞口１５ＢＫが開放されて遊技球が第２大入賞口１５ＢＫに入球可能となる。
【００２５】
第１始動入賞口１４ＡＫ又は第２始動入賞口１４ＢＫに遊技球が入球すると、所定数の遊技球が賞球として上皿２６（図１参照）に払い出されると共に、特別図柄当否判定が行われる。特別図柄当否判定の結果が当りになると、大当り遊技が実行され、第１大入賞口１５ＡＫ又は第２大入賞口１５ＢＫに遊技球が入球可能となる。第１大入賞口１５ＡＫ又は第２大入賞口１５ＢＫに遊技球が入球すると、所定数の遊技球が賞球として払い出される。
【００２６】
遊技領域Ｒ１には、上述した入賞口１４ＡＫ，１４ＢＫ，１５ＡＫ，１５ＢＫのほかに、上方又は側方に開放して遊技球が常時入球可能な一般入賞口２０が複数設けられている。また、遊技領域Ｒ１の下端部、具体的には、第１可変部材１５ＡＫの下方には、何れの入賞口にも入球しなかった遊技球を遊技領域Ｒ１の外側に排出するためのアウト口１６が設けられている。さらに、遊技領域Ｒ１には、遊技球の流下方向をランダムに変更するための障害釘１７が多数植設されている。
【００２７】
図４に示されるように、表示装飾枠２３の左上部には、上側流路構成壁２５の左端部から下方に延びる縦壁３１と、縦壁３１の下端から左側に延びた横壁３２と、横壁３２の左端部から下方に延びる誘導傾斜壁３３と、が備えられている。縦壁３１、横壁３２及び誘導傾斜壁３３は全て左下がりに傾斜し、縦壁３１及び誘導傾斜壁３３の下り勾配は横壁３２の下り勾配より大きくなっている。なお、誘導傾斜壁３３の下り勾配は、縦壁３１の下り勾配より小さくなっている。
【００２８】
また、表示装飾枠２３の左上部には、縦壁３１及び横壁３２から外側に張り出す張出片３５が設けられている。張出片３５は、遊技盤１１の前面に重ねられて遊技領域Ｒ１の一部を構成する。ここで、張出片３５は樹脂で形成されていて、遊技領域Ｒ１のうち張出片３５によって形成される領域は、障害釘１７を有しない釘無し領域Ｒ２となっている。そして、張出片３５には、障害釘１７の代わりに遊技球と衝突して該遊技球の動きをランダムに変化させることが可能な樹脂体として第１樹脂突部４１と第２樹脂突部４２が一体形成されている。
【００２９】
第１樹脂突部４１は、縦壁３１に沿って延在し、第２樹脂突部４２は、第１樹脂突部４１の左側に配置されて球戻り規制部材５０と対向する。第２樹脂突部４２は、前方視略正方形状に形成され、第１樹脂突部４１は、第２樹脂突部４２より縦長に形成されている。なお、詳細には、第１樹脂突部４１の横幅は、遊技球１個分となっていて、第２樹脂突部４２の縦幅と横幅は共に、遊技球１個分となっている。
【００３０】
第１樹脂突部４１の右側を向く面は、縦壁３１と略平行に配置な第１右向き対向面４１Ｒとなっている。第１右向き対向面４１Ｒと縦壁３１との間の間隔Ｌ１は遊技球１〜１．５個分となっている。そして、第１樹脂突部４１と縦壁３１との間に、遊技球が１個ずつ流下可能な縦流路４３が形成されている。また、第１樹脂突部４１の下側を向く面は、横壁３２と略平行に配置されて横壁３２と対向する第１下向き対向面４１Ｋとなっている。第１下向き対向面４１Ｋと横壁３２との間の間隔Ｌ２も遊技球１〜１．５個分となっている。そして、第１樹脂突部４１と横壁３２との間に、遊技球が１個ずつ流下可能な第１横流路４４が形成されている。
【００３１】
第１樹脂突部４１の上側を向く面は、左側（即ち、進入口１２Ｋ側）へ近づくにつれて下側を向くように湾曲した第１円弧面４１Ｅ１となっている。第１円弧面４１Ｅ１は、第２樹脂突部４２よりも上側に配置されている。また、第１樹脂突部４１の外周面には、第２樹脂突部４２を中心にした円弧状をなす第２円弧面４１Ｅ２が設けられている。この第２円弧面４１Ｅ２は、第１円弧面４１Ｅの下端と第１下向き面４１Ｋとの間を連絡する。そして、第１樹脂突部４１の外周面には、第１円弧面４１Ｅ１に第２円弧面４１Ｅ２が繋がったＳ字状曲面部４１Ｓが形成されている。
【００３２】
第２樹脂突部４２の右側を向く面は、第１樹脂突部４１の第２円弧面４１Ｅ２と対向する第２右向き対向面４２Ｒとなっている。第２右向き対向面４２Ｒと第２円弧面４１Ｅ２との間の間隔Ｌ３は、遊技球２〜３個分となっている。そして、第１樹脂突部４１と第２樹脂突部４２との間に、縦流路４３及び第１横流路４４よりも幅広な突部間流路４５が形成されている。
【００３３】
第２樹脂突部４２の下側を向く面は、横壁３２と略平行に配置されて横壁３２と対向する第２下向き対向面４２Ｋとなっている。ここで、第２樹脂突部４２の下端は、第１樹脂突部４１の下端よりも上側に配置されている。第２下向き対向面４２Ｋと横壁３２との間の間隔Ｌ４は、遊技球２〜３個分となっている。そして、第２樹脂突部４２と横壁３２との間に、遊技球が１個ずつ流下可能な第２横流路４６が形成されている。
【００３４】
第２樹脂突部４２の上側を向く面は、右下がりに傾斜した第２上向き傾斜面４２Ｊとなっている。第２樹脂突部４２の左側を向く面は、左下がりに傾斜した第２左向き傾斜面４２Ｌとなっている。また、第２樹脂突部４２には、第２上向き傾斜面４２Ｊの左側（即ち、進入口１２Ｋ側）の端部から上側に突出した上側突起４２Ｔが設けられている。
【００３５】
図５には、進入口１２Ｋから遊技領域Ｒ１に進入した遊技球の動きが示されている。図５において灰色線で示されるように、遊技領域Ｒ１に進入する遊技球の勢いが強いと、遊技球は、ガイドレール１２の円弧状案内部１２Ｅに誘導されて上側流路２５Ｒへと進入する。上側流路２５Ｒを通り抜けた遊技球は、遊技領域Ｒ１において表示装飾枠２３の右側の領域を流下する。遊技球の勢いが弱くて上側流路２５Ｒを通り抜けることができない遊技球は、表示装飾枠２３の上側流路構成壁２５に沿って左側へ戻ってくる。
【００３６】
図６に示されるように、上側流路２５Ｒから左側へ戻ってきた遊技球は釘無し領域Ｒ２を流下する。同図の２点鎖線で示されるように、上側流路２５から戻ってくる遊技球の勢いが強いと、その遊技球は、縦流路４３と第１樹脂突部４１の上を飛び越えて突部間流路４５を流下する。遊技球が第１樹脂突部４１を飛び越えずに縦流路４３のみを飛び越える場合にも、その遊技球は、第１樹脂突部４１の第１円弧面４１Ｅ１に受け止められて第１円弧面４１Ｅ１上を左側に転動し、突部間流路４５を流下する。同図において１点鎖線で示されるように、上側流路２５Ｒから戻ってくる遊技球の勢いが弱いと、その遊技球は、縦流路４３を飛び越えずに縦流路４３を流下する。
【００３７】
遊技領域Ｒ１に進入する遊技球の勢いが弱いと、遊技球が上側流路２５Ｒに到達せずに、釘無し領域Ｒ２を流下する。図５において２点鎖線で示されるように、遊技球が表示装飾枠２３の縦壁３１に衝突する場合には、その遊技球は、縦壁３１に跳ね返されて縦流路４３を流下する。縦流路４３を流下してきた遊技球は、横壁３２に受け止められた後、横壁３２の上を左側へ転動しながら第１横流路４４及び第２横流路４６を流下する。
【００３８】
図５において１点鎖線で示されるように、遊技球が第１樹脂突部４１の上部に衝突する場合には、その遊技球は、第１樹脂突部４１の第１円弧面４１Ｅ１によって右斜め上側に跳ね返される。このように、第１樹脂突部４１の第１円弧面４１Ｅ１は、遊技球を進入口１２Ｋから離れる側に跳ね返す。
【００３９】
図５において破線で示されるように、遊技球が第１樹脂突部４１の下端寄り部分に衝突する場合には、その遊技球は、第１樹脂突部４１の第２円弧面４１Ｅ２によって下側に跳ね返され、突部間流路４５を流下する。突部間流路４５を流下してきた遊技球は、横壁３２に受け止められた後、横壁３２の上を左側へ転動しながら第２横流路４６を流下する。
【００４０】
本実施形態の遊技機１０では、以下の優れた効果を奏することが可能となる。即ち、遊技機１０では、釘無し領域Ｒ２において障害釘１７の代わりに遊技球の動きをランダムに変化させる樹脂体として第１樹脂突部４１と第２樹脂突部４２が備えられ、第１樹脂突部４１が第２樹脂突部４２よりも縦長に形成されている。これにより、第１樹脂突部４１と第２樹脂突部４２の間で、見た目の印象を異ならせることが可能となり、樹脂体の興趣の向上が図られる。しかも、第２樹脂突部４２は、縦横比がほぼ１となる形状に形成されて第１樹脂突部４１の側方に配置されるので、第１樹脂突部４１と第２樹脂突部４２の形状の相違を目立たせることが可能となる。
【００４１】
また、本実施形態の遊技機１０では、第１樹脂突部４１が第２樹脂突部４２よりも進入口１２Ｋから離れて配置されるので、進入口１２Ｋからの遊技球の進入が第１樹脂突部４１によって妨げられることが抑制される。しかも、第２樹脂突部４２は、球戻り規制部材５０に対向配置されるので、第１樹脂突部４１に跳ね返された遊技球が球戻り規制部材５０に衝突することが抑制される。また、第１樹脂突部４１の上部に第１円弧面４１Ｅ１が備えられることで、遊技球を進入口１２Ｋ側に跳ね返り難くすることが可能となる。さらに、第２樹脂突部４２が第１円弧面４１Ｅ１に対して下側に配置されるので、進入口１２Ｋから進入した遊技球を第１樹脂突部４１に衝突させ易くなり、その結果、遊技球が減勢され易くなる。
【００４２】
また、本実施形態の遊技機１０では、第１樹脂突部４１のうち第２樹脂突部４２と対向する部分に形成された第２円弧面４１Ｅ２が第２樹脂突部４２を中心にした円弧状となっているので、第１樹脂突部４１と第２樹脂突部４２の間の間隔（図４の間隔Ｌ３を参照）を広くして、突部間流路４５を流下する遊技球の球詰まりが抑制される。しかも、第２円弧面４１Ｅ２は第１円弧面４１Ｅ１に繋がってＳ字状曲面部４１Ｓを形成するので、第１円弧面４１Ｅ１と第２円弧面４１Ｅ２を一体的に見せて第１樹脂突部４１の形状に新鮮味を付与することが可能となる。
【００４３】
また、本実施形態の遊技機１０では、第１樹脂突部４１は、第２樹脂突部４２よりも表示装飾枠２３の縦壁３１の近くに配置されるので、第１樹脂突部４１と表示装飾枠２３との間の縦流路４３に遊技球を流下させることが可能となる。ここで、縦流路４３の幅は、遊技球１〜１．５個分になっているので、縦流路４３を流下する遊技球が縦壁３１又は第１樹脂突部４１との衝突によって減勢され易くなる。
【００４４】
なお、本実施形態の遊技機１０では、図２に示されるように、釘無し領域Ｒ２は、表示開口１１Ｈのうち装飾部材７０を収容する部分の左側に配置されている。そして、本実施形態では、釘無し領域Ｒ２に第１樹脂突部４１と第２樹脂突部４２のみを備え、第２樹脂突部４２は前方視略正方形状であって、第１樹脂突部４１が第２樹脂突部４２より縦長になっている。従って、遊技機１０では、釘無し領域Ｒ２が幅狭に形成されても、第１樹脂突部４１と第２樹脂突部４２によって遊技球の動きをランダムに変化させることが可能となる。その結果、装飾部材７０の横幅を広くすることが可能となる。
【００４５】
以下、本実施形態の遊技機１０から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００４６】
＜特徴Ａ群＞
以下の特徴Ａ群は、「遊技盤の前面側に遊技球が流下可能な遊技領域を有する」遊技機に関し、「従来、特許文献Ａ（特開２００８−１６１４６７号（段落［００８０］、図９））に示される遊技機のように、遊技領域の一部を、障害釘の代わりに樹脂体を備えた釘無し領域としたものが知られている。」という背景技術について、「従来の遊技機では、樹脂体の形状や大きさが似通っていて、興趣に欠けるという問題があった。」という課題をもってなされたものである。
【００４７】
［特徴Ａ１］
遊技球が流下可能な遊技領域（遊技領域Ｒ１）を前面側に形成する遊技盤（遊技盤１１）と、
発射装置（発射装置６１）から発射された遊技球を前記遊技領域に進入させる進入口（進入口１２Ｋ）と、
前記遊技領域における前記進入口の近傍に形成され、遊技球と衝突することでその遊技球の動きをランダムに変化させる手段として障害釘（障害釘１７）ではなく複数の樹脂体を有する釘無し領域（釘無し領域Ｒ２）と、を有する遊技機（遊技機１０）において、
前記樹脂体には、第１樹脂体（第１樹脂突部４１）と、前記第１樹脂体より前記進入口に近い側に配置される第２樹脂体（第２樹脂突部４２）と、が含まれ、
前記第１樹脂体が前記第２樹脂体よりも縦長に形成されている、遊技機。
【００４８】
本特徴に示す構成では、樹脂体として第１樹脂体と第２樹脂体を備え、第１樹脂体が第２樹脂体よりも縦長に形成されているので、第１樹脂体と第２樹脂体の間で、見た目の印象を異ならせることが可能となり、樹脂体の興趣の向上が図られる。しかも、第１樹脂体の方が第２樹脂体よりも進入口から離れて配置されるので、進入口からの遊技球の進入が第１樹脂体によって妨げられることが抑制される。
【００４９】
［特徴Ａ２］
前記第１樹脂体の上部には、前記進入口側へ向かうにつれて下側へ向かうように湾曲する第１円弧面（第１円弧面４１Ｅ１）が設けられている、特徴Ａ１に記載の遊技機。
【００５０】
本特徴に示す構成によれば、第１樹脂突部の上端寄り部分に衝突した遊技球を進入口側に跳ね返り難くすることが可能になる。
【００５１】
［特徴Ａ３］
前記第２樹脂体は、前記第１円弧面に対して下側に配置されている、特徴Ａ２に記載の遊技機。
【００５２】
本特徴に示す構成では、進入口から遊技領域に進入した遊技球を第１樹脂体に衝突させ易くなり、その結果、遊技球の勢いを低減し易くなる。
【００５３】
［特徴Ａ４］
前記第１樹脂体には、前記第２樹脂体に対向配置されて前記第２樹脂体を中心にした円弧状をなす第２円弧面（第２円弧面４１Ｅ２）が形成されている、特徴Ａ１乃至Ａ３のうち何れか１に記載の遊技機。
【００５４】
本特徴に示す構成によれば、第１樹脂体と第２樹脂体の間隔を広くして（具体的には、遊技球２個分以上にして）、第１樹脂体と第２樹脂体の間を流下する遊技球の球詰まりを抑制可能となる。
【００５５】
［特徴Ａ５］
前記第１樹脂体は、前記第１円弧面に前記第２円弧面が繋がったＳ字状曲面部（Ｓ字状曲面部４１Ｓ）を有する、特徴Ａ３に従属する特徴Ａ４に記載の遊技機。
【００５６】
本特徴に示す構成によれば、第１円弧面と第２円弧面を一体的に見せることが可能となる。
【００５７】
［特徴Ａ６］
前記進入口には、前記遊技領域からの遊技球の逆戻りを抑制する逆流規制部材（球戻り規制部材５０）が取り付けられていて、
前記第２樹脂体は、前記逆流規制部材に対向するように配置されている、特徴Ａ１乃至Ａ５のうち何れか１に記載の遊技機。
【００５８】
本特徴に示す構成によれば、第１樹脂体によって進入口側に跳ね返された遊技球が逆流規制部材に衝突することが第２樹脂体によって抑制される。なお、第２樹脂体の上面に突起が形成されれば、逆流規制部材への衝突が一層抑制される。
【００５９】
［特徴Ａ７］
遊技球が流下可能な遊技領域（遊技領域Ｒ１）を前面側に形成する遊技盤（遊技盤１１）と、
前記遊技盤に形成された開口部（表示開口１１Ｈ）に嵌め込まれて前記開口部の内側への遊技球の進入を規制する進入規制枠（表示装飾枠２３）と、
前記遊技領域に形成され、遊技球と衝突することでその遊技球の動きをランダムに変化させる手段として障害釘（障害釘１７）ではなく樹脂体を有する釘無し領域（釘無し領域Ｒ２）と、を有する遊技機（遊技機１０）において、
前記樹脂体として、前記進入規制枠の特定部位（縦壁３１）に沿って延在する第１樹脂体（第１樹脂突部４１）と、前記第１樹脂体より前記進入規制枠の特定部位から離れて配置される第２樹脂体（第２樹脂突部４２）と、を備え、
前記第１樹脂体は、前記進入規制枠の特定部位の延在方向で前記第２樹脂体より長くなっている、遊技機
【００６０】
本特徴に示す構成では、樹脂体として第１樹脂体と第２樹脂体を備え、第１樹脂体が第２樹脂体よりも進入規制枠の特定部位の延在方向に長くなっているので、第１樹脂体と第２樹脂体の間で、見た目の印象を異ならせることが可能となり、樹脂体の興趣の向上が図られる。しかも、第１樹脂体の方が第２樹脂体よりも進入規制枠に近いので、第１樹脂体と進入規制枠との間で遊技球を進入規制枠に沿って流下させることが可能となる。
【００６１】
［特徴Ａ８］
前記第１樹脂体と前記進入規制枠との間に形成される第１流路（縦流路４３）よりも前記第１樹脂体と前記第２樹脂体との間に形成される第２流路（突部間流路４５）が幅広に形成されている、特徴Ａ７に記載の遊技機。
【００６２】
本特徴に示す構成では、第２流路を流下する遊技球の球詰まりが抑制される。なお、第１流路の幅は、遊技球１個分より大きく１．５個分以下であることが好ましく、第２流路の幅は、遊技球２個分以上であることが好ましい。
【００６３】
［特徴Ａ９］
遊技球が流下可能な遊技領域（遊技領域Ｒ１）を前面側に形成する遊技盤（遊技盤１１）と、
前記遊技領域に形成され、遊技球と衝突することでその遊技球の動きをランダムに変化させる手段として障害釘（障害釘１７）ではなく樹脂体を有する釘無し領域（釘無し領域Ｒ２）と、を有する遊技機（遊技機１０）において、
前記樹脂体として、縦横比がほぼ１となる形状に形成された等方的樹脂体（第２樹脂突部４２）と、前記等方的樹脂体の側方に位置して前記等方的樹脂体より縦長に形成された異方的樹脂体（第１樹脂突部４１）と、を有する、遊技機。
【００６４】
本特徴に示す構成では、樹脂体として、縦横比がほぼ１となる等方的樹脂体と、等方的樹脂体より縦長に形成された異方的樹脂体と、を備えるので、等方的樹脂体と異方的樹脂体の間で、見た目の印象を異ならせることが可能となり、樹脂体の興趣の向上が図られる。しかも、異方的樹脂体が等方的樹脂体の側方に位置するので、等方的樹脂体と異方的樹脂体の形状の相違を目立たせることが可能となる。
【００６５】
なお、特徴Ａ７又はＡ８に示す構成に、特徴Ａ１〜Ａ６に示す構成が組み合わされてもよい。また、特徴Ａ９に示す構成に、特徴Ａ１〜Ａ８に示す構成が組み合わされてもよい。その際には、特徴Ａ１〜Ａ８における「第１樹脂体」と「第２樹脂体」を「異方的樹脂体」と「等方的樹脂体」に置き換えればよい。
【００６６】
［特徴Ａ群に含まれる他の実施形態］
特徴Ａ群には、上記実施形態の他に、例えば、以下に示される実施形態も含まれる。
【００６７】
（１）釘無し領域Ｒ２には、第１樹脂突部４１及び第２樹脂突部４２以外に、遊技球と衝突する樹脂体が備えられてもよい。
【００６８】
（２）第２樹脂突部４２は、球戻り規制部材５０に対向配置されなくてもよい。
【００６９】
（３）上記実施形態では、第１樹脂突部４１の横幅と第２樹脂突部４２の横幅が異なっていてもよい。なお、上記実施形態のように、第１樹脂突部４１の横幅と第２樹脂突部４２の横幅が共に、遊技球１個分であると、第１横流路４４及び第２横流路４６を形成しつつ、釘無し領域Ｒ２の横幅を狭くすることが可能となる。
【００７０】
（４）第１円弧面４１Ｅ１と第２円弧面４１Ｅ２は連続しなくてもよく、例えば、第１円弧面４１Ｅ１と第２円弧面４１Ｅ２の間に平坦面が介在してもよい。
【００７１】
（５）第２樹脂突部４２の正面視形状が大きくなる場合には、第１樹脂突部４１のうち第２樹脂突部４２側との対向面が、第２樹脂突部４２の第１樹脂突部４１側を向く面、即ち、第２右向き対向面４２Ｒに沿って延在してもよい。従って、該対向面は、第２右向き対向面４２Ｒが平坦に形成されれば、同様に、平坦に形成され、第２右向き対向面４２ＲがＶ字状に形成されれば、同様に、Ｖ字状に形成される。
【００７２】
（６）特徴Ａ７〜Ａ９に含まれる形態では、第１樹脂突部４１及び第２樹脂突部４２が進入口１２Ｋの近傍（即ち、遊技領域Ｒ１の左上部分）に配置されない構成であってもよい。
【００７３】
（７）特徴Ａ７に含まれる形態では、第１樹脂突部４１は、表示装飾枠２３の一部を構成する壁部に沿って延在すればよく、例えば、横壁３２に沿って延在してもよい。
【００７４】
（８）特徴Ａ９に含まれる形態では、第１樹脂突部４１と第２樹脂突部４２の並び順が左右逆であってもよい。
【符号の説明】
【００７５】
１０    遊技機
１１    遊技盤
１２Ｋ    進入口
１７    障害釘
２３    表示装飾枠
４１    第１樹脂突部
４２    第２樹脂突部
Ｒ１    遊技領域
Ｒ２    釘無し領域
【図１】
2019165977.tif 000003
【図２】
2019165977.tif 000004
【図３】
2019165977.tif 000005
【図４】
2019165977.tif 000006
【図５】
2019165977.tif 000007
【図６】
2019165977.tif 000008